(57)【要約】【課題】マスク装着時にコネクタチューブのリザーバーバッグとの接続部位が閉塞されることを防止できるリザーバーバッグ付マスクを提供する。【解決手段】口及び鼻を覆うマスク体２と、マスク体２の酸素導入口２ｃに連通し膨縮可能なリザーバーバッグ３と、マスク体２の酸素導入口２ｃとリザーバーバッグ３との間を連結する管で中間部分に酸素チューブ２０が連結する連結孔が開口形成されたコネクタチューブ４とを備えたリザーバーバッグ付マスク１において、リザーバーバッグ３を、膨張させた状態において、頭部を後屈せず自然位の頭部の位置を保った状態の仰臥位のヒトの顎下部、頸部、及び鎖骨上窩の間の空間に収まる形状に形成した。これにより、リザーバーバッグ３の折れ曲がりが防止でき、コネクタチューブ４との接続部位が塞がれてリザーバーバッグ３とマスク体との間で酸素もしくは高濃度酸素空気の往来が遮断されることが防止できる。【選択図】図１
2010148859.tif 000002
【特許請求の範囲】
【請求項１】
口及び鼻を覆うように顔面に密着する縁辺を有し口及び外鼻を覆うドーム状に形成された隔壁を備え、該隔壁内に酸素もしくは高濃度酸素空気を導入する酸素導入口が開口形成されたマスク体と、
前記酸素導入口に連通し膨縮可能な気密袋であるリザーバーバッグと、
前記マスク体の前記酸素導入口と前記リザーバーバッグとの間を連結する管であり、中間部分に酸素チューブが連結する連結孔が開口形成されたコネクタチューブ
を備えたリザーバーバッグ付マスクであって、
前記リザーバーバッグは、膨張させた状態において、頭部を後屈せず自然位の頭部の位置を保った状態の仰臥位のヒトの顎下部、頸部、及び鎖骨上窩の間の空間に収まる形状に形成されていることを特徴とするリザーバーバッグ付マスク。
【請求項２】
前記リザーバーバッグは、中央部が括れて左右両側部が膨大した形状であることを特徴とする請求項１記載のリザーバーバッグ付マスク。
【請求項３】
前記リザーバーバッグは、前頸部を取り巻く形状であることを特徴とする請求項１又は２に記載のリザーバーバッグ付マスク。
【請求項４】
前記コネクタチューブは左右二方向に分岐する枝管を備え、
左右の前記各枝管に接続された、左右２つの前記リザーバーバッグを備えていることを特徴とする請求項１記載のリザーバーバッグ付マスク。
【請求項５】
前記コネクタチューブは、前記リザーバーバッグ内の空間に突入しており、この突入した部位の管側面に複数の通気口が形成されていることを特徴とする請求項１乃至４の何れか一記載のリザーバーバッグ付マスク。
【請求項６】
前記コネクタチューブは、前記リザーバーバッグ内の空間に突入しており、この突入した部位で２方向に分岐していることを特徴とする請求項１乃至４の何れか一記載のリザーバーバッグ付マスク。
【発明の詳細な説明】
【技術分野】
【０００１】
本発明は、非再呼吸マスク（non-rebreathing mask）や高濃度マスク（high concentration mask）などとして使用されるリザーバーバッグ付マスクに関する。
【背景技術】
【０００２】
従来から、医療現場では、傷病者に高濃度酸素を投与する酸素マスクとしてリザーバーバッグ付マスクが広く使用されている（例えば、特許文献１−６，非特許文献１参照）。図５に、一例として、特許文献１に記載の非再呼吸酸素マスクを示す。リザーバーバッグ付マスクである非再呼吸酸素マスク１００は、マスク体１０１、リザーバーバッグ１０２、コネクタチューブ１０３、エラスティックストラップ１０４、ノーズクリップ１０５、及び排気バルブ１０６を備えている。
【０００３】
マスク体１０１は、患者１２０の下顎から鼻頭にかけての顔面を覆面するように装着される。このマスク体１０１は、伸縮自在なゴム紐からなるエラスティックストラップ１０４によって、患者１２０の頭部に固定される。患者１２０の鼻に対応するマスク体１０１の中央付近の部分は、鼻の形状に合わせて隆起部１０１ａが形成されている。この隆起部１０１ａの口側の傾斜面に、マスク体１０１内に酸素もしくは高濃度酸素空気を供給する酸素導入口１０１ｂが開口形成されている。また、隆起部１０１ａの鼻頭ないし鼻背に相当する付近には、ノーズクリップ１０５が付設されており、隆起部１０１ａの左右両側部には、マスク体１０１内の酸素もしくは高濃度酸素空気を排気するための逆止弁からなる排気バルブ１０６が配設されている。
【０００４】
リザーバーバッグ１０２は、酸素もしくは高濃度酸素空気を一時的に貯留するバッグであり、膨縮可能な気密袋で構成されている。リザーバーバッグ１０２の材質としては、通常は、透明又は半透明なポリ塩化ビニル（ＰＶＣ）などが使用される（例えば、非特許文献１参照）。リザーバーバッグ１０２は、コネクタチューブ１０３によってマスク体１０１の酸素導入口１０１ｂに接続されている。コネクタチューブ１０３は、中間部分に、酸素チューブ１０７が接続される連結孔１０３ａが形成されており、酸素チューブ１０７を通してこの連結孔１０３ａからコネクタチューブ１０３に酸素もしくは高濃度酸素空気が導入される。
【０００５】
コネクタチューブ１０３に導入された酸素もしくは高濃度酸素空気は、リザーバーバッグ１０２に流入し、リザーバーバッグ１０２を膨張させる。そして、患者１２０の吸息運動によりコネクタチューブ１０３を通してリザーバーバッグ１０２からマスク体１０１内に酸素もしくは高濃度酸素空気が流入し、患者１２０に給気される。また、患者１２０の呼息運動によりマスク体１０１内に排出される酸素もしくは高濃度酸素空気は、排気バルブ１０６からマスク体１０１外へ排出される。
【０００６】
通常、患者１２０の１回換気量は５００ｃｃ程度である。従って、酸素チューブ１０７をマスク体１０１に直接接続しただけでは、患者１２０の吸息に対して充分な換気量を確保することが難しい。リザーバーバッグ１０２は、そのために設けられており、患者１２０の吸息に対して充分な換気量を確保する役割を有する。
【０００７】
尚、特許文献２−６に記載のリザーバーバッグ付マスクも、基本的に同様のものである。
【特許文献１】米国特許第５，４９２，１１４号明細書
【特許文献２】米国特許第５，５８６，５５１号明細書
【特許文献３】米国特許公開第２００８／０２１０２４２号明細書
【特許文献４】米国特許第５，１４３，０６１号明細書
【特許文献５】米国特許第５，７０１，８８６号明細書
【特許文献６】米国特許第７，３６０，５３８号明細書
【非特許文献１】京中貿易株式会社，「杭州京冷医療機器カタログ」，［online］，2008年1月，杭州京冷医療機器有限公司，［平成20年9月20日検索］、インターネット〈URL：http://kyoling.net/catalogue/PDF-Catalogue2008-1.pdf〉，pp.24-25．
【発明の開示】
【発明が解決しようとする課題】
【０００８】
上述したように、リザーバーバッグ付マスクに使用されるリザーバーバッグは、患者の呼吸によって膨縮できる必要があり、充分な柔軟性が必要である。そのため、ＰＶＣなどの非常に柔軟性の良い素材が使用される。
【０００９】
しかしながら、実際に仰臥位の患者に上記従来のリザーバーバッグ付マスクを装着して使用した場合、リザーバーバッグが患者の胸部に当たり、リザーバーバッグのコネクタチューブとの接続部位が折れて拉げてしまう場合が屡々見受けられる。このようにコネクタチューブとの接続部位が折れると、リザーバーバッグの柔軟性により、コネクタチューブの入り口がリザーバーバッグの素材により塞がれ、リザーバーバッグとマスク体との間で酸素もしくは高濃度酸素空気が往来できなくなるという問題がある。
【００１０】
そこで、本発明の目的は、患者へのマスク装着時に、コネクタチューブのリザーバーバッグとの接続部位が閉塞されることを防止することのできるリザーバーバッグ付マスクを提供することにある。
【課題を解決するための手段】
【００１１】
リザーバーバッグ付マスクに係る本発明の第１の構成は、口及び鼻を覆うように顔面に密着する縁辺を有し口及び外鼻を覆うドーム状に形成された隔壁を備え、該隔壁内に酸素もしくは高濃度酸素空気を導入する酸素導入口が開口形成されたマスク体と、前記酸素導入口に連通し膨縮可能な気密袋であるリザーバーバッグと、前記マスク体の前記酸素導入口と前記リザーバーバッグとの間を連結する管であり、中間部分に酸素チューブが連結する連結孔が開口形成されたコネクタチューブと、を備えたリザーバーバッグ付マスクであって、前記リザーバーバッグは、膨張させた状態において、頭部を後屈せず自然位の頭部の位置を保った状態の仰臥位のヒトの顎下部、頸部、及び鎖骨上窩の間の空間に収まる形状に形成されていることを特徴とする。
【００１２】
この構成によれば、リザーバーバッグは、膨張時にも仰臥位のヒトの顎下部、頸部、及び鎖骨上窩の間の空間に収まる形状なので、膨張した状態でも患者の胸部に押されてコネクタチューブが折れ曲がることがないため、コネクタチューブのリザーバーバッグとの接続部位が塞がれてリザーバーバッグとマスク体との間で酸素もしくは高濃度酸素空気の往来が遮断されることが防止できる。
【００１３】
リザーバーバッグ付マスクに係る本発明の第２の構成は、上記第１の構成において、前記リザーバーバッグは、中央部が括れて左右両側部が膨大した形状であることを特徴とする。
【００１４】
このように、リザーバーバッグの中央部を括れ状とすることで、リザーバーバッグは患者の下顎と鎖骨上窩の間の空間に収まり、コネクタチューブのリザーバーバッグとの接続部位が折れ曲がることを防止できる。また、膨張したリザーバーバッグが患者の視界を過度に遮るのを防止することもできる。さらに、リザーバーバッグの左右両側部が膨大した形状とすることで、リザーバーバッグの容量を十分に確保することができる。
【００１５】
リザーバーバッグ付マスクに係る本発明の第３の構成は、上記第１又は２の構成において、前記リザーバーバッグは、前頸部を取り巻く形状であることを特徴とする。
【００１６】
このように、リザーバーバッグを患者の前頸部を取り巻く形状とすることにより、リザーバーバッグの容量を十分に確保しつつ、膨張したリザーバーバッグが患者の前方に突出して患者の視界を過度に遮るのを防止することができる。
【００１７】
リザーバーバッグ付マスクに係る本発明の第４の構成は、上記第１の構成において、前記コネクタチューブは左右二方向に分岐する枝管を備え、左右の前記各枝管に接続された、左右２つの前記リザーバーバッグを備えていることを特徴とする。
【００１８】
リザーバーバッグ付マスクに係る本発明の第５の構成は、上記第１乃至４の何れか一の構成において、前記コネクタチューブは、前記リザーバーバッグ内の空間に突入しており、この突入した部位の管側面に複数の通気口が形成されていることを特徴とする。
【００１９】
この構成により、仮にコネクタチューブの先端開口部がリザーバーバッグ内で閉塞されたとしても、コネクタチューブのリザーバーバッグ内の空間に突入した部位の管側面に開口する通気口を通して、コネクタチューブとリザーバーバッグとの間で酸素もしくは高濃度酸素空気が流通するため、リザーバーバッグとマスク体との間で酸素もしくは高濃度酸素空気の往来が遮断されることが確実に防止できる。
【００２０】
リザーバーバッグ付マスクに係る本発明の第６の構成は、上記第１乃至４の何れか一の構成において、前記コネクタチューブは、前記リザーバーバッグ内の空間に突入しており、この突入した部位の先端が２方向に分岐していることを特徴とする。
【００２１】
この構成により、仮に分岐したコネクタチューブの一方の先端開口部がリザーバーバッグ内で閉塞されたとしても、他方のコネクタチューブの分岐管を通して、コネクタチューブとリザーバーバッグとの間で酸素もしくは高濃度酸素空気が流通するため、リザーバーバッグとマスク体との間で酸素もしくは高濃度酸素空気の往来が遮断されることが確実に防止できる。
【発明の効果】
【００２２】
以上のように、本発明によれば、リザーバーバッグを、膨張させた状態で仰臥位のヒトの顎下部、頸部、及び鎖骨上窩の間の空間に収まる形状に形成したことで、患者へのマスク装着時に、コネクタチューブのリザーバーバッグとの接続部位が閉塞されるのを効果的に防止し、患者への酸素もしくは高濃度酸素空気の供給を確実に確保することが可能となる。
【００２３】
また、コネクタチューブのリザーバーバッグ内空間へ突入した部位の管側面に複数の通気口が形成し、又はこの突入した部位の先端を２方向に分岐させることで、コネクタチューブの閉塞をより確実に防止することが可能となる。
【発明を実施するための最良の形態】
【００２４】
以下、本発明を実施するための最良の形態について、図面を参照しながら説明する。
【実施例１】
【００２５】
図１は本発明の実施例１に係るリザーバーバッグ付マスクの正面図、図２は図１のリザーバーバッグ付マスクの側面図である。図１，図２は、何れも、リザーバーバッグ付マスク１を患者Ａに装着した状態を表している。
【００２６】
本実施例のリザーバーバッグ付マスク１は、マスク体２、リザーバーバッグ３、コネクタチューブ４、排気バルブ６、エラスティックストラップ７、及びノーズクリップ８を備えている。
【００２７】
マスク体２は、隔壁が患者Ａの口及び鼻を覆うように顔面に縁辺２ａが密着して装着しうるドーム状に形成されている。マスク体２は、患者Ａの鼻頭ないし鼻背から下顎にかけて及び左右の頬部にかけての顔面を覆面する。患者Ａの鼻に相対するマスク体２の部位は、鼻の形状に合わせて隆起部２ｂが形成されている。この隆起部２ｂの鼻背に相対する部位には、マスク体２が顔面上で位置ずれするのを防止するために鼻背を軽く挟むためのノーズクリップ８が付設されている。隆起部２ｂの左右両側部には、患者Ａの呼息に伴ってマスク体２内の酸素もしくは高濃度酸素空気を排気するための排気バルブ６，６が配設されている。排気バルブ６は、逆流防止弁からなる。また、患者Ａのオトガイ部に相対するマスク体２の部位には、酸素もしくは高濃度酸素空気を導入するための酸素導入口２ｃが開口形成されている。
【００２８】
このマスク体１は、伸縮自在なゴム紐からなるエラスティックストラップ７，７によって、患者Ａの両耳に掛止され顔面に固定される。
【００２９】
リザーバーバッグ３は、ＰＶＣなどの柔軟で膨縮可能な気密袋である。リザーバーバッグ３は、コネクタチューブ４によって、マスク体２の酸素導入口２ｃに連通している。また、リザーバーバッグ３は、膨張させた状態では、患者Ａが頭部を後屈せずに自然位の頭部位置を保った状態の仰臥位で、患者Ａの顎下部、頸部、及び鎖骨上窩の間の空間に収まる形状に形成されている。すなわち、リザーバーバッグ３は、左右対称の横長に形成され、中央部３ａが括れて左右両側部３ｂ，３ｂが膨大した形状に形成されている。また、横から見ると（図２参照）、リザーバーバッグ３の左右両側部３ｂ，３ｂは、患者Ａの前頸部を取り巻くように、中央部３ａに対して左右両側部３ｂ，３ｂが若干湾曲した形状に形成されている。
【００３０】
コネクタチューブ４は、リザーバーバッグ３をマスク体２に接続する管である。コネクタチューブ４の上端は、マスク体２の酸素導入口２ｃに接続され、下端はリザーバーバッグ３の中央部３ａに接続されている。また、コネクタチューブ４の中間部分には、酸素チューブ２０が連結する連結孔４ａが開口形成されている。ここで、酸素チューブ２０は、酸素もしくは高濃度酸素空気を供給する可撓性チューブであり、通常はＰＶＣなどの可撓性部材で構成される（例えば、非特許文献１，ｐ．１９参照）。
【００３１】
また、コネクタチューブ４の下端側は、リザーバーバッグ３内の空間に突入しており、この突入した部位の管側面に複数の通気口４ｂが形成されている。従って、コネクタチューブ４は、下端に開口する以外に、下端側管側面も通気口４ｂにより開口している。
【００３２】
以上のように構成された実施例１に係るリザーバーバッグ付マスク１について、以下その使用方法とその作用を説明する。
【００３３】
まず、患者Ａに装着する場合、マスク体２を患者Ａの口と鼻を覆うように当て、エラスティックストラップ７，７を患者の耳に掛けて顔面にマスク体２を固定する。この状態では、図１，図２のように、マスク体２の下部が患者Ａのオトガイ部乃至下顎部を覆い、リザーバーバッグ３は患者Ａの下顎部、頸部、及び鎖骨上窩との間の空間に位置する。そして、コネクタチューブ４の連結孔４ａに酸素チューブ２０の一端を連結し、酸素チューブ２０の他端を酸素ボンベに連結することによって、装着は完了する。
【００３４】
リザーバーバッグ付マスク１を装着した状態で、酸素ボンベから酸素チューブ２０に酸素もしくは高濃度酸素空気を供給すると、供給された酸素もしくは高濃度酸素空気はコネクタチューブ４を通ってリザーバーバッグ３に入り、リザーバーバッグ３が膨張する。このとき、リザーバーバッグ３は、仰臥位の患者Ａの顎下部、頸部、及び鎖骨上窩の間の空間に収まる形状に形成されているため、リザーバーバッグ３が患者Ａの胸部に当たって折れ曲がり、コネクタチューブ４の下端の開口が閉塞されることが防止される。更に、仮に何らかの原因でリザーバーバッグ３が折れ曲がってコネクタチューブ４の下端開口がリザーバーバッグ３の袋シートで閉塞された場合でも、コネクタチューブ４の下端部付近の管側面に開口する通気口４ｂを通して、コネクタチューブ４とリザーバーバッグ３内とで酸素もしくは高濃度酸素空気が流通する。従って、リザーバーバッグ３とマスク体との間で酸素もしくは高濃度酸素空気の往来が遮断されることがなくなる。また、リザーバーバッグ３は、横長に形成され左右両側部３ｂ，３ｂが膨大しているので、患者Ａの呼吸に対して充分な量の酸素もしくは高濃度酸素空気を貯めておくことが可能である。
【００３５】
更に、リザーバーバッグ３の左右両側部３ｂ，３ｂは、患者Ａの前頸部を取り巻くように、中央部３ａに対して若干湾曲しているため、患者Ａの視界を妨げる範囲が狭く、患者Ａにとって不快な障害となることがない。
【００３６】
患者Ａが呼吸を行うと、吸息によってリザーバーバッグ３内に貯められた酸素もしくは高濃度酸素空気が、コネクタチューブ４を通ってマスク体２内に供給される。一方、患者Ａが呼息を行うと、マスク体２内の酸素もしくは高濃度酸素空気は排気バルブ６，６を通って外に排出される。これにより、患者Ａに対して高酸素濃度の呼気を投与することができる。
【実施例２】
【００３７】
図３は、本発明の実施例２に係るリザーバーバッグ付マスクの斜視図である。本実施例のリザーバーバッグ付マスク１’は、基本的な構造は実施例１のリザーバーバッグ付マスク１と共通しており、共通する部分には同符号を付して説明は省略する。
【００３８】
本実施例のリザーバーバッグ付マスク１’は、リザーバーバッグ３内の空間に突入したコネクタチューブ４の下端がＴ字状に２方向に分岐している点が、実施例１のものとは異なっている。尚、分岐した分岐管４ｃ，４ｃにも、通気口４ｂが形成されている。
【００３９】
このように、分岐させることにより、仮に分岐管４ｃ，４ｃの一方の先端開口部がリザーバーバッグ３内で閉塞されたとしても、他方の分岐管４ｃを通して、コネクタチューブ４とリザーバーバッグ３との間で酸素もしくは高濃度酸素空気が流通するため、リザーバーバッグ３とマスク体との間で酸素もしくは高濃度酸素空気の往来が遮断されることが確実に防止できる。
【実施例３】
【００４０】
図４は、本発明の実施例３に係るリザーバーバッグ付マスクの外観斜視図である。図４において、リザーバーバッグ付マスク１”は、マスク体２、マスク体２の左右に設けられた２つのリザーバーバッグ３，３、コネクタチューブ４、通気口４ｂ、枝管４ｄ，４ｄ、排気バルブ６，６、エラスティックストラップ７、及びノーズクリップ８を備えている。
【００４１】
マスク体２は、透明な軟質樹脂製で、隔壁が看者の口及び鼻を覆うように顔面に縁辺２ａが密着して装着しうるドーム状に形成されている。また、中央部に鼻頭ないし鼻背を覆うための隆起部２ｂが形成されており、隆起部２ｂの直下側の看者の鼻孔が位置する部分に、酸素もしくは高濃度酸素空気を導入する酸素導入口２ｃが開口形成されている。この隆起部２ｂの鼻背に相対する部位には、マスク体２が顔面上で位置ずれするのを防止するために鼻背を軽く挟むためのノーズクリップ８が付設されている。隆起部２ｂの左右両側部には、患者Ａの呼息に伴ってマスク体２内の酸素もしくは高濃度酸素空気を排気するための排気バルブ６，６が配設されている。各排気バルブ６は、実施例１と同様に、逆流防止弁を備えており、マスク体１内の空気を排気方向のみ通過させる。また、マスク体１は、伸縮自在なゴム紐からなるエラスティックストラップ７，７によって、患者Ａの両耳に掛止され顔面に固定される。
【００４２】
酸素導入口２ｃには、コネクタチューブ４が接続されている。コネクタチューブ４は、直線上の短管であり、上端が酸素導入口２ｃに接続され、下端が盲端となっている。コネクタチューブ４の下端近傍の側面には、短管状の酸素チューブ接続管４ｅが正面に向かって突設されている。この酸素チューブ接続管４ｅに酸素チューブ２０（図１参照）が接続される。また、コネクタチューブ４の中央部付近の側面には、２本の枝管４ｄ，４ｄが左右斜め背面方向に向かって突設されている。各枝管４ｄの中央から先端にかけての側面には、複数の通気口４ｂが開口形成されている。尚、当該コネクタチューブ４はマスク体２から着脱自在である。従って、サイズの異なるマスク体２のみを取り替えることができるので、小児から成人まで、患者に応じてマスク体２のサイズを変更することが可能である。
【００４３】
左右のリザーバーバッグ３，３は、この枝管４ｄ，４ｄに接続されている。各リザーバーバッグ３は、ＰＶＣなどの柔軟で膨縮可能な気密袋である。
【００４４】
本実施例のリザーバーバッグ３，３は、膨張させた状態において、頭部を後屈せず自然位の頭部の位置を保った状態の仰臥位のヒトの顎下部から頸部の左右側面、及び鎖骨上窩の間の空間に収まる形状に形成されている。このように構成することによっても、患者へのマスク装着時に、コネクタチューブ４のリザーバーバッグ３，３との接続部位が閉塞されるのを効果的に防止でき、患者への酸素もしくは高濃度酸素空気の供給を確実に確保することが可能となる。
【図面の簡単な説明】
【００４５】
【図１】本発明の実施例１に係るリザーバーバッグ付マスクの正面図である。
【図２】図１のリザーバーバッグ付マスクの側面図である。
【図３】本発明の実施例２に係るリザーバーバッグ付マスクの斜視図である。
【図４】本発明の実施例３に係るリザーバーバッグ付マスクの外観斜視図である。
【図５】特許文献１に記載の非再呼吸酸素マスクである。
【符号の説明】
【００４６】
１，１’，１”  リザーバーバッグ付マスク
２  マスク体
２ａ  縁辺
２ｂ  隆起部
２ｃ  酸素導入口
３  リザーバーバッグ
３ａ  中央部
３ｂ  側部
４  コネクタチューブ
４ａ  連結孔
４ｂ  通気口
４ｃ  分岐管
４ｄ  枝管
４ｅ  酸素チューブ接続管
６  排気バルブ
７  エラスティックストラップ
８  ノーズクリップ
２０  酸素チューブ
Ａ  患者
１００  非再呼吸酸素マスク
１０１  マスク体
１０１ａ  隆起部
１０１ｂ  酸素導入口
１０２  リザーバーバッグ
１０３  コネクタチューブ
１０３ａ  連結孔
１０４  エラスティックストラップ
１０５  ノーズクリップ
１０６  排気バルブ
１０７  酸素チューブ
１２０  患者
【図１】
2010148859.tif 000003
【図２】
2010148859.tif 000004
【図３】
2010148859.tif 000005
【図４】
2010148859.tif 000006
【図５】
2010148859.tif 000007